(57)【要約】【課題】ランプが消灯するまでの残り時間をユーザーが把握することができる映像機器、及び映像機器のランプ消灯方法を提供する。【解決手段】図２（１）は、映像を投射しているときの画面状態であり、ランプが点灯している。図２（２）は、ユーザーが映像機器１０の「電源オフ」操作を行ったときの画面状態であり、このときもランプは点灯している。図２（３）は、「電源オフ」操作からランプ消灯時間が経過し、ランプが消灯したときの画面状態である。図２（１）に示すように映像を投射しているときに、映像機器１０の「電源オフ」操作が行われると、図２（２）に示すように画面ミュート状態に画面が遷移し、ランプが消灯するまでの残り時間が画面の左下に表示される。例えば、カウントダウン時間が５分であれば、「５：００」と表示される。そして、「電源オフ」操作からランプ消灯時間が経過すると、図２（３）に示すように、ランプが消灯する。【選択図】図２
2013254086.tif 000002
【特許請求の範囲】
【請求項１】
ランプを備えた映像機器において、
電源オフ操作が行われたときに、前記ランプが消灯するまでのカウントダウン時間を表示するカウントダウン時間表示手段を備えることを特徴とする映像機器。
【請求項２】
前記カウントダウン時間が表示されているときには、画面ミュートが行われることを特徴とする請求項１に記載の映像機器。
【請求項３】
前記カウントダウン時間が表示されているときに電源オン操作が行われると、前記画面ミュートが解除されることを特徴とする請求項２に記載の映像機器。
【請求項４】
前記カウントダウン時間が表示されていないときに電源オン操作が行われると、ランプ点灯処理が行われることを特徴とする請求項１から請求項３のいずれか１項に記載の映像機器。
【請求項５】
前記カウントダウン時間を変更するカウントダウン時間変更手段を備えることを特徴とする請求項１から請求項４のいずれか１項に記載の映像機器。
【請求項６】
次の前記電源オフ操作が行われたときに、変更された前記カウントダウン時間をランプ消灯時間に変更するランプ消灯時間変更手段を備えることを特徴とする請求項５に記載の映像機器。
【請求項７】
当該映像機器は投射型表示装置であることを特徴とする請求項１から請求項６のいずれか１項に記載の映像機器。
【請求項８】
ランプを備えた映像機器において、
電源オフ操作が行われたときに、前記ランプが消灯するまでのカウントダウン時間を表示することを特徴とする映像機器のランプ消灯方法。
【発明の詳細な説明】
【技術分野】
【０００１】
本発明は、映像を投射するランプを備える映像機器に係り、特に電源がオフされたときに電源オフからランプを消灯するまでの時間（以下、「ランプ消灯時間」という）を調整できる映像機器に関する。
【背景技術】
【０００２】
映像を投射するランプを備える映像機器において、映像機器全体の省エネや点灯によるランプの寿命を考慮すると、映像機器を使用しないときにはランプも含めて映像機器の電源をオフにした方がよい。しかし、ランプを消灯させてから点灯するには、ランプへの電源供給を停止し、ランプを一度冷却してからでないと再点灯することができない。更に、ランプの電極間のガスが均一に分散した状態（以下、「クーリング状態」という）にしないと再点灯することができない。このようなランプの冷却やクーリング状態にするには時間がかかるため、ランプを一度消灯させると、次にランプを点灯させるには時間がかかっていた。また、ランプの消灯直後にランプを点灯させると、ランプの電極が劣化しランプの寿命が短くなる。短時間に映像機器の使用と不使用が繰り返される場合には、映像機器の「電源オフ」操作が行われると、すぐにランプへの電源供給をオフせずに、ランプを点灯させた状態にして映像を投射するスクリーンの画面（以下、「画面」という）の映像を消去する状態（以下、「画面ミュート状態」という）とし、または画面の映像を徐々に暗くする状態（以下、「画面フェードアウト」という）にしてからランプを消灯していた。このランプが消灯するまでの間に、再び「電源をオン」操作が行われたときには、ランプは点灯状態のままであるので、ランプを冷却する時間やクーリング状態にする時間を必要とせずに、画面ミュート状態や画面フェードアウトを解除するだけで、映像機器に映像を投射できるようにしている。
【０００３】
映像を投射するランプを消灯させる際の利便性を向上させる技術として特開２００８−５８４５４号公報（特許文献１）と特開２００６−２９３１１８号公報（特許文献２）を挙げることができる。特許文献１に開示の技術では、光源から射出された光を変調し、画像を形成する光変調装置と、光変調装置で形成された画像を投写面に投写する投写光学系と、入力操作を受け付ける入力操作部とを備え、入力操作部に光源を消灯させるための入力操作がなされた場合に、投写面の周辺を照明するための照明画像を前記光変調装置に形成させるとともに、照明画像を所定時間投写させた後に光源を消灯させることで、光源が消灯されるまで投写面の周辺を明るくすることができるプロジェクタ及びその制御方法が記載されている。また、特許文献２に開示の技術では、光源装置と、光源装置から射出される照明光束を画像情報に応じて変調して画像光を生成する液晶装置と、液晶装置により生成された画像光を投写する投写光学系とを備えたプロジェクタにおいて、光源装置の消灯要求があった場合に所定時間をかけて画面フェードアウトを行い、所定時間内に光源装置の消灯要求が撤回された場合には、画面フェードアウトを中止し、所定時間内に光源装置の消灯要求が撤回されなかった場合には、光源装置を消灯させることができるプロジェクタ、プロジェクタにおける光源装置の消灯方法及びプロジェクタにおける光源装置の消灯プログラムが記載されている。
【先行技術文献】
【特許文献】
【０００４】
【特許文献１】特開２００８−５８４５４号公報
【特許文献２】特開２００６−２９３１１８号公報
【発明の概要】
【発明が解決しようとする課題】
【０００５】
特許文献１に開示の技術では、光源が消灯される前であれば、再度プロジェクタを使用する場合でもすぐにプロジェクタを使用することができるが、ユーザーはいつ光源が消灯するのかわからない。また、特許文献２に開示の技術では、所定時間内に光源装置の消灯要求が撤回された場合には、すぐにプロジェクタを使用することができるが、ユーザーはいつ光源装置が消灯されるかわからない。このため、光源が消灯されるまでの時間をユーザーが把握できないため、ユーザーが再びプロジェクタの「電源オン」などの操作を行う直前で、光源が消灯されるという問題があった。
【０００６】
本発明はこのような状況に鑑みてなされたものであり、上記課題を解決できる液晶表示装置を提供することを目的とする。
【課題を解決するための手段】
【０００７】
本発明の映像機器は、ランプを備えた映像機器において、電源オフ操作が行われたときに、前記ランプが消灯するまでのカウントダウン時間を表示するカウントダウン時間表示手段を備えることを特徴としている。
また、本発明の映像機器は、前記カウントダウン時間が表示されているときには、画面ミュートが行われることを特徴としている。
また、本発明の映像機器は、前記カウントダウン時間が表示されているときに電源オン操作が行われると、前記画面ミュートが解除されることを特徴としている。
また、本発明の映像機器は、前記カウントダウン時間が表示されていないときに電源オン操作が行われると、ランプ点灯処理が行われることを特徴としている。
また、本発明の映像機器は、前記カウントダウン時間を変更するカウントダウン時間変更手段を備えることを特徴としている。
また、本発明の映像機器は、次の前記電源オフ操作が行われたときに、変更された前記カウントダウン時間をランプ消灯時間に変更するランプ消灯時間変更手段を備えることを特徴としている。
また、本発明の映像機器は、投射型表示装置であることを特徴としている。
また、本発明の映像機器のランプ消灯方法は、ランプを備えた映像機器において、電源オフ操作が行われたときに、前記ランプが消灯するまでのカウントダウン時間を表示することを特徴としている。
【発明の効果】
【０００８】
本発明により、短時間に映像機器の使用と不使用が繰り返される場合においても、ランプが消灯されるまでの残り時間を表示することで、ユーザーはランプが消灯される時間を把握することができ、また、ランプが消灯されるまでの残り時間を表示しているときにランプ消灯時間を変更可能とすることで、ユーザーによりランプが消灯されるまでの残り時間を変更することができる映像機器、及び映像機器のランプ消灯方法を提供する。
【図面の簡単な説明】
【０００９】
【図１】本発明の実施形態に係る映像機器の構成を示す図である。
【図２】本発明の実施形態に係るランプ点灯からランプ消灯に変化するときの画面状態の遷移を示す図である。
【図３】本発明の実施形態に係るランプ消灯時間経過前とランプ消灯時間経過後において、再び「電源オン」操作が行われた場合の画面の状態とランプの状態を示す図である。
【図４】本発明の実施形態に係るランプ制御処理のフローチャートである。
【発明を実施するための形態】
【００１０】
以下、本発明を実施するための形態（以下、「実施形態」という）を、図面を参照して説明する。本発明の映像機器１０は、ユーザーが「電源オフ」の操作を行うと画面ミュートを行い、ランプ消灯までの残り時間（以下、「カウントダウン時間」という）を画面に表示し、ランプ消灯時間が経過するとランプを消灯する。また、ランプ消灯時間が経過する前にユーザーが再び「電源オン」操作を行うと、画面ミュートが解除され、画面が再び表示状態となる。更に、カウントダウン時間が表示されているとき、つまりランプ消灯時間が経過する前に、ユーザーはランプ消灯時間を変更することができる。
【００１１】
実施形態における映像機器１０の各機能について、図１を用いて説明する。外部入力部１０１は、外部装置２０から入力信号を受信し、入力信号を映像信号に変換するとビデオスイッチ部１０３に出力する。チューナー部１０２は、アンテナ３０から電波信号を受信し、電波信号を適宜選択的に復調して映像信号を取り出すとビデオスイッチ部１０３に出力する。ビデオスイッチ１０３は、制御部１１０からの指令により外部入力部１０１からの入力またはチューナー部１０２からの入力に切り換え、切り換えた外部入力部１０１またはチューナー部１０２から映像信号を入力し、映像処理部１０４に出力する。映像処理部１０４は、ビデオスイッチ１０３から出力される映像信号、または制御部１１０から出力されるカウントダウン時間の映像信号を入力すると、制御部１１０からの指令に基づいて、映像の明るさ、大きさ、色調などを調整するために、映像信号を必要に応じた形式に加工処理し、ＤＬＰユニット１０５に出力する。ＤＬＰユニット１０５は、映像処理部１０４から入力した映像信号に対して超微小な鏡(マイクロミラー)にランプの光を反射させてスクリーンに映し出す映像方式を採用したDLPTM(デジタル・ライト・プロセッシング)の映像処理を行い、この映像処理を行った映像信号を映像出力部１０６に出力する。映像出力部１０６はＤＬＰユニット部１０５から入力した映像信号をスクリーン４０に投射する。
【００１２】
メモリ部１０７は、映像機器１０の基本機能を実現するためのプログラム、制御部１１０が実行するアプリケーションプログラムやこのプログラムで用いられるデータを記憶している。また、メモリ部１０７は、映像処理部１０７が映像信号を加工するときに一時的に映像信号を記憶する。メモリ部１０７には、ランプ消灯時間が保存されるランプ消灯時間保存エリア１０７ａが設けられている。電源制御部１０８は、制御部１１０からの指令に基づいて電源１０９を制御することで、各部に電力を供給する。制御部１１０は、映像機器１０全体の制御を行うために各部の動作を制御する。また、制御部１１０は、ユーザーによるリモコン５０の操作に基づき映像処理部１０４に対して映像信号を出力するタイミング、及びＤＬＰランプユニットに対してランプの点灯と消灯の切り換えタイミングを制御する。制御部１１０には、「電源オン」または「電源オフ」に応じてランプユニット１１２を制御するランプ制御処理部１１０ａが設けられている。ランプ制御処理部１１０ａの詳細については、後述する。操作入力部１１１は、リモコン５０の操作ボタンが操作されることでリモコン５０から送信される赤外線の操作信号を受信し、電気信号に変換して制御部１１０に出力する。ランプユニット１１２は、制御部１１０のランプ制御処理部１１０ａから出力される指令に基づき、ＤＬＰユニット１０５が映像をスクリーンに投射するためのランプ制御を行う。
【００１３】
次に、ランプ点灯からランプ消灯に変化するときの画面状態の遷移について図２を用いて説明する。図２（１）は、映像を投射しているときの画面状態であり、ランプが点灯している。図２（２）は、ユーザーが映像機器１０の「電源オフ」操作を行ったときの画面状態であり、このときもランプは点灯している。図２（３）は、「電源オフ」操作からランプ消灯時間が経過し、ランプが消灯したときの画面状態である。図２（１）に示すように映像を投射しているときに、映像機器１０の「電源オフ」操作が行われると、図２（２）に示すように画面ミュート状態に画面が遷移し、カウントダウン時間が画面の左下に表示される。例えば、カウントダウン時間が５分であれば、「５：００」と表示される。そして、「電源オフ」操作からランプ消灯時間が経過すると、図２（３）に示すように、ランプが消灯する。
【００１４】
次に、ランプ消灯時間経過前とランプ消灯時間経過後において、再び「電源オン」操作が行われた場合の画面の状態とランプの状態について図３を用いて説明する。図３（１）は、ランプ消灯時間経過前に再び「電源オン」操作が行われた場合の画面の状態とランプの状態である。図３（２）は、ランプ消灯時間経過後に再び「電源オン」操作が行われた場合の画面の状態とランプの状態である。
【００１５】
まず、ランプ消灯時間経過前に再び「電源オン」操作が行われた場合について説明する。図３（１）に示すように、まずユーザーが「電源オフ」操作を行うと、画面の状態は画面ミュートに遷移し、ランプの状態はランプ点灯となり、画面の左下にカウントダウン時間が表示される。次いで、ユーザーがランプ消灯時間経過前に再び「電源オン」操作を行うと、ランプの状態はランプ点灯のままで、画面ミュートのみが解除される。このように、カウントダウン時間が表示されることで、ユーザーは再び「電源オン」操作を行った場合でも、ランプが点灯しているので画面ミュートを解除するだけで、画面が再び表示されるまでに時間がかからないことを認識することができる。
【００１６】
次に、カウントダウン時間が経過後に再び「電源オン」操作が行われた場合について説明する。図３（２）に示すように、ランプの状態がランプ消灯であるときにユーザーが「電源オン」操作を行うと、ランプ点灯処理を行うための時間が必要となる。このためこのランプ点灯処理が完了するまでランプの点灯ができない。次いで、ランプが点灯すると、このタイミングで画面の状態の画面ミュートが解除される。このように、カウントダウン時間が表示されていないことで、ユーザーは再び「電源オン」操作を行った場合に、ランプ点灯処理が必要であるので、画面が再び表示されるまでに時間がかかることを認識することができる。
【００１７】
次に、本発明の実施形態における図１に示すランプ制御処理部１１０ａが実行するランプ制御処理について説明する。図４にランプ制御処理のフローチャートを示す。ランプ制御処理部１１０ａは、ユーザーがリモコン５０から映像機器１０の「電源オン」操作を行うと、操作入力部１１１を経由して制御部１１０に「電源オン」操作信号が出力される。制御部１１０は、「電源オン」操作信号を入力すると、ランプ制御処理部１１０ａによりランプ制御処理を開始する。以下、図２に示すランプ制御処理のフローチャートに示すステップ順に説明する。
【００１８】
〈ランプ制御処理〉
（ステップＳ１０１）
まず、ランプ制御処理部１１０ａは、ユーザーが選択した映像を投射するため、ランプユニット１１２に対してランプ点灯の電源制御を行う。
【００１９】
（ステップＳ１０２）
次いで、ランプ制御処理部１１０ａは、予め決められた一定時間待ち状態とする。
【００２０】
（ステップＳ１０３）
次いで、ランプ制御処理部１１０ａは、操作入力部１１１からの「電源オフ」の操作信号を入力したかを判定する。「電源オフ」の操作信号を入力したとき（ステップＳ１０３のＹｅｓ）は、ステップＳ１０４に進む。「電源オフ」の操作信号を入力していないとき（ステップＳ１０３のＮｏ）は、ステップＳ１０１に戻る。
【００２１】
（ステップＳ１０４）
次いで、ランプ制御処理部１１０ａは、表示されている映像を消去させるために、映像処理部１０４に対して映像を消去させる制御を行う。このように映像を消去させることで画面ミュート状態に遷移する。
【００２２】
（ステップＳ１０５）
次いで、ランプ制御処理部１１０ａは、メモリ部１０７のランプ消灯時間保存エリア１０７ａからランプ消灯時間を取り出す。
【００２３】
（ステップＳ１０６）
次いで、ランプ制御処理部１１０ａは、現在時刻にステップＳ１０５で取り出したランプ消灯時間を加算し、ランプ消灯時刻を設定する。
【００２４】
（ステップＳ１０７）
次いで、ランプ制御処理部１１０ａは、予め決められた一定時間待ち状態とし、ステップＳ１０８に進む。
【００２５】
（ステップＳ１０８）
次いで、ランプ制御処理部１１０ａは、ランプ消灯時刻から現在時刻を減算したランプ消灯までの残り時間であるカウントダウン時間をスクリーン４０に表示するために、映像処理部１０４に対してカウントダウン時間を投射する制御を行う。
【００２６】
（ステップＳ１０９）
次いで、ランプ制御処理部１１０ａは、操作入力部１１１からランプ消灯時間の変更操作信号を入力したかを判定する。ランプ消灯時間の変更操作信号を入力したとき（ステップＳ１０９のＹｅｓ）は、ステップＳ１１０に進む。ランプ消灯時間の変更操作信号を入力していないとき（ステップＳ１０９のＮｏ）は、ステップＳ１１２に進む。
【００２７】
（ステップＳ１１０）
次いで、ランプ制御処理部１１０ａは、ステップＳ１０９で入力したランプ消灯時間の変更操作信号に設定されているランプ消灯時間をメモリ部１０７のランプ消灯時間保存エリア１０７ａに保存する。
【００２８】
（ステップＳ１１１）
次いで、ランプ制御処理部１１０ａは、現在時刻にステップＳ１０５で取り出したランプ消灯時間を加算し、ランプ消灯時刻を再設定する。
【００２９】
（ステップＳ１１２）
次いで、ランプ制御処理部１１０ａは、現在時刻とランプ消灯時刻とを比較し、現在時刻がランプ消灯時刻に到達しているかを判定する。現在時刻がランプ消灯時刻に到達しているとき（ステップＳ１１２のＹｅｓ）は、ステップＳ１１４に進む。現在時刻がランプ消灯時刻に到達していないとき（ステップＳ１１２のＮｏ）は、ステップＳ１１３に進む。
【００３０】
（ステップＳ１１３）
次いで、ランプ制御処理部１１０ａは、操作入力部１１１からの「電源オン」の操作信号を入力したかを判定する。「電源オン」の操作信号を入力したとき（ステップＳ１１３のＹｅｓ）は、ステップＳ１０１に戻る。「電源オン」の操作信号を入力していないとき（ステップＳ１１３のＮｏ）は、ステップＳ１０７に戻る。
【００３１】
（ステップＳ１１４）
次いで、ランプ制御処理部１１０ａは、ランプを消灯するため、ランプユニット１１２に対してランプ消灯の電源制御を行い、ランプ制御処理を終了する。
【００３２】
なお、カウントダウン時間については、映像を投射する画面の左下に表示するようにしたがこれに限らず、画面のどの位置に表示することも可能である。また、画面ではなくリモコンの表示部などに表示することも可能である。また、変更されたランプ消灯時間をメモリ部１０７のランプ消灯時間保存エリア１０７ａに保存するようにしたが、ランプ消灯時間を保存しないようにすることで、次回「電源オフ」操作が行われたときに、変更されたランプ消灯時間でなく、メモリ部１０７のランプ消灯時間保存エリア１０７ａに保存されているランプ消灯時間を用いることができる。また、本発明の映像機器１０は、投射が可能なあらゆる投射型表示装置に適用可能である。
【００３３】
このような本発明の実施形態により、短時間に映像機器の使用と不使用が繰り返され場合においても、ランプが消灯されるまでの残り時間であるカウントダウン時間を表示することで、ユーザーはランプが消灯される時間を把握することができ、また、カウントダウン時間を表示しているときにランプ消灯時間を変更可能とすることで、ユーザーによりカウントダウン時間を変更することができる。更に、カウントダウン時間が表示されることで、ユーザーは再び「電源オン」操作を行った場合でも、ランプが点灯しているので画面ミュートを解除するだけで、画面が再び表示されるまでに時間がかからないことを認識することができる。また、カウントダウン時間が表示されていないことで、ユーザーは再び「電源オン」操作を行った場合に、ランプ点灯処理が必要であるので、画面が再び表示されまでに時間がかかることを認識することができる。
【００３４】
以上、具体的な実施形態により本発明を説明したが、上記の実施形態は本発明の例示であり、それらの各構成要素の組み合わせにいろいろな変形例が可能なこと、またそうした変形例も本発明の範囲にあることは当業者に理解されるところである。
【産業上の利用可能性】
【００３５】
本発明は、映像機器に好適であるが、画面表示を行うあらゆる映像機器に適用可能である。
【符号の説明】
【００３６】
１０・・・・・映像機器
２０・・・・・外部装置
３０・・・・・アンテナ
４０・・・・・スクリーン
５０・・・・・リモコン
１０１・・・・・外部入力部
１０２・・・・・チューナー部
１０３・・・・・ビデオスイッチ部
１０４・・・・・映像処理部
１０５・・・・・ＤＬＰユニット
１０６・・・・・映像出力部
１０７・・・・・メモリ部
１０７ａ・・・・ランプ消灯時間保存エリア
１０８・・・・・電源制御部
１０９・・・・・電源
１１０・・・・・制御部
１１０ａ・・・・ランプ制御処理部
１１１・・・・・操作入力部
１１２・・・・・ランプユニット
【図１】
2013254086.tif 000003
【図２】
2013254086.tif 000004
【図３】
2013254086.tif 000005
【図４】
2013254086.tif 000006